【事件の表示】
　特許第６１５５５１０号発明「気象情報提供装置及び気象情報提供用プログラム」の特許異議申立事件について、次のとおり決定する。
【結　論】
　特許第６１５５５１０号の請求項１ないし１３に係る特許を維持する。
【理　由】
第１　手続の経緯
　特許第６１５５５１０号の請求項１ないし１３に係る特許についての出願は、平成２５年６月１１日に特許出願され、平成２９年６月１６日にその特許権の設定登録がされ、その後、請求項１ないし１３に係る特許に対し、平成２９年１２月２７日に特許異議申立人　山口 清隆　により特許異議の申立てがされたものである。 
第２　本件発明
　特許第６１５５５１０号の請求項１ないし１３の特許に係る発明（以下、それぞれ「本件発明１」ないし「本件発明１３」という。）は、それぞれ、その特許請求の範囲の請求項１ないし１３に記載された事項により特定されるとおりのものであって、そのうちの本件発明１、３ないし５は以下のとおりである。 
  
（本件発明１） 
　「【請求項１】
　表示画面を有する表示部と、外部からの情報を受信する通信部と、所定範囲の画像を撮影する撮像部と、現在位置を認識する測位部と、方角及び当該装置の水平状態からの傾きを検知する３次元方位検知部と、を具備し、前記通信部により外部から得られた気象情報を加工処理して前記表示部の画面上に表示する気象情報提供装置において、
　a)前記測位部及び前記３次元方位検知部により得られた情報に基づいて、前記撮像部による撮影の光軸の方向を算出する光軸方向算出部と、
　b)前記通信部により得られた目的とする気象情報である単位区域毎の降水量を示す降水量分布データの地域的分布情報に基づいて、少なくとも、前記光軸方向算出部により算出された光軸方向の情報から求まる前記撮像部による撮影範囲に対応した単位区域毎の降水量にそれぞれ対応した雲の状態及び降雨の状態を模擬的に示す模擬画像を３次元空間に射影した仮想画像を作成する仮想画像作成部と、
　c)前記仮想画像作成部により作成された前記撮像部による撮影範囲内の前記仮想画像を、前記撮像部により得られている実写画像と合成して、前記表示部の画面上に表示する画像合成部と、
　を備えることを特徴とする気象情報提供装置。」
（本件発明３）
　「【請求項３】
　表示画面を有する表示部と、外部からの情報を受信する通信部と、所定範囲の画像を撮影する撮像部と、現在位置を認識する測位部と、方角及び当該装置の水平状態からの傾きを検知する３次元方位検知部と、を具備し、前記通信部により外部から得られた気象情報を加工処理して前記表示部の画面上に表示する、平面視長方形状である携帯型の気象情報提供装置において、
　a)前記測位部及び前記３次元方位検知部により得られた情報に基づいて、前記撮像部による撮影の光軸の方向を算出する光軸方向算出部と、
　b)前記通信部により得られた目的とする気象情報である気象関連指標値の地域的分布情報に基づいて、少なくとも、前記光軸方向算出部により算出された光軸方向の情報から求まる前記撮像部による撮影範囲に対応した単位区域毎の気象関連指標値を反映した模擬画像を３次元空間に射影した仮想画像を作成する仮想画像作成部と、
　c)前記仮想画像作成部により作成された前記撮像部による撮影範囲内の前記仮想画像を、前記撮像部により得られている実写画像と合成して、前記表示部の画面上に表示する画像合成部と、
　を備え、当該装置が横向きに保持された状態では、前記画像合成部による実写画像と仮想画像と合成した画像を前記表示部の画面上に表示し、当該装置が縦向きに保持された状態では、前記通信部により得られた目的とする気象情報である気象関連指標値の地域的分布情報に基づいて作成されるメッシュ状の気象分布を示すヒートマップを平面的な地図上に重ねた２次元画像を前記表示部の画面上に表示するように表示を切り替えることを特徴とする気象情報提供装置。」
（本件発明４）
　「【請求項４】
　表示画面を有する表示部と、外部からの情報を受信する通信部と、所定範囲の画像を撮影する撮像部と、現在位置を認識する測位部と、方角及び当該装置の水平状態からの傾きを検知する３次元方位検知部と、を具備し、前記通信部により外部から得られた気象情報を加工処理して前記表示部の画面上に表示する気象情報提供装置において、
　a)前記測位部及び前記３次元方位検知部により得られた情報に基づいて、前記撮像部による撮影の光軸の方向を算出する光軸方向算出部と、
　b)前記通信部により得られた目的とする気象情報である気象関連指標値の地域的分布情報に基づいて、前記測位部で認識された現在位置の周囲全ての単位区域毎の気象関連指標値を反映した模擬画像を３次元空間に射影した仮想画像を作成する仮想画像作成部と、
　c)前記仮想画像作成部により作成された現在位置の周囲全ての単位区域毎の仮想画像の中で前記撮像部による撮影範囲内の仮想画像を抽出し、該仮想画像と前記撮像部により得られている実写画像と合成して、前記表示部の画面上に表示する画像合成部と、
　を備えることを特徴とする気象情報提供装置。」
（本件発明５）
　「【請求項５】
　表示画面を有する表示部と、外部からの情報を受信する通信部と、所定範囲の画像を撮影する撮像部と、現在位置を認識する測位部と、方角及び当該装置の水平状態からの傾きを検知する３次元方位検知部と、を具備し、前記通信部により外部から得られた気象情報を加工処理して前記表示部の画面上に表示する気象情報提供装置において、
　a)前記測位部及び前記３次元方位検知部により得られた情報に基づいて、前記撮像部による撮影の光軸の方向を算出する光軸方向算出部と、
　b)前記通信部により得られた目的とする気象情報である気象関連指標値の地域的分布情報に基づいて、少なくとも、前記光軸方向算出部により算出された光軸方向の情報から求まる前記撮像部による撮影範囲に対応した単位区域毎の気象関連指標値を反映した模擬画像を３次元空間に射影した仮想画像を作成する仮想画像作成部と、
　c)前記仮想画像作成部により作成された前記撮像部による撮影範囲内の前記仮想画像を、前記撮像部により得られている実写画像と合成して、前記表示部の画面上に表示する画像合成部と、
　を備え、前記仮想画像作成部は、単位区域毎の気象関連指標値を反映した模擬画像を３次元空間に射影する際に、前記撮像部から見て横方向に並ぶ複数の単位区域に対する模擬画像の横幅をそれぞれ所定倍率だけ拡大するとともに、現在位置から見たときに各模擬画像が正面に位置するように該各模擬画像を回転させたうえでそれら模擬画像を繋ぎ合わせる処理を行うことを特徴とする気象情報提供装置。」
第３　申立理由の概要
　特許異議申立人は、下記の甲第１号証ないし甲第７号証を提出し、本件発明１、２、４ないし６、８、９、１１ないし１３は、甲第１号証に記載された発明及び甲第２号証ないし甲第４号証に記載された事項に基づいて、本件発明３及び１０は、甲第１号証に記載された発明、甲第２号証ないし甲第４及び甲第６号証に記載された事項に基づいて、本件発明７は、甲第１号証に記載された発明、甲第２号証ないし甲第４号証及び甲第７号証に記載された事項に基づいて、それぞれ当業者が容易に発明をすることができたものであって、特許法第２９条第２項の規定により特許を受けることができないものであり、本件発明１ないし１３に係る特許は同法同条の規定に違反してされたものであるから同法第１１３条第２号に該当し取り消すべきものである旨主張している。 
  
特許異議申立人が提出した甲第１号証ないし甲第７号証 
甲第１号証：特開２００６−２９５８２７号公報（以下「甲１」という。）
甲第２号証：特開２００４−１８４２２４号公報（以下「甲２」という。）
甲第３号証：特開２００６−５０１７３号公報（以下「甲３」という。）
甲第４号証：特開２０１１−２２３３３１号公報（以下「甲４」という。）
甲第５号証：特開平１０−１７７０７６号公報（以下「甲５」という。）
甲第６号証：特開２００８−１８５６１４号公報（以下「甲６」という。）
甲第７号証：特開２００２−２２９９９１号公報（以下「甲７」という。）
第４　各証拠の記載事項
１　甲１の記載事項
（１）甲１には、以下の記載がある。 
（甲１−１）「【００１０】
　図１は、本例のシステム構成例を示した図である。まず、携帯電話端末装置の構成について説明すると、
携帯電話端末装置１００は、通信部１０９を備えて、
無線通信を行うようにしてあり、液晶表示パネルなどで構成される表示部１０８で、通信に関する表示などを行うようにしてある。
【００１１】
　そして、
携帯電話端末装置１００は静止画及び動画を撮影する手段として、カメラ
１０４が内蔵され、
携帯電話端末装置１００の現状を検出する手段として、
方位センサ１０１と測位部１０２と傾斜センサ１０３とを内蔵させてあり、
【００１２】
　
方位センサ１０１は、カメラ
１０４が撮影する方位を検出するセンサである。測位部１０２は、
端末装置１００の絶対的な位置を検出するものである。傾斜センサ１０３は、端末装置１００の傾斜を検出するセンサである。
【００１３】
　測位部１０２で測位された現在位置のデータや撮影した画像の視野角のデータは、通信部１０９による無線通信で、ホストコンピュータ装置２００に接続させて送るようにしてある。この接続としては、例えばホストコンピュータ装置２００をインターネット上の所定アドレスに用意して、端末装置１００を、無線電話回線を経由してインターネットに接続して、データ交換できるように接続されるようにしてある。
【００１４】
　ホストコンピュータ装置２００は、空間情報検索部２０１と現状情報検索部２０２と、三次元空間データベース２０３とを備える。三次元空間データベース２０３は、三次元の地図データを備えて、その三次元地図データ上の各座標位置での代表となる目標物の名称のデータなどをデータベースとして記憶させてある。そして、端末装置１００から送られた現在位置のデータを使用して、その現在位置の周囲に存在する目標物のデータを、空間情報検索部２０１で検索するようにしてある。また、現状情報検索部２０２が、位置データと視野角のデータとを使用して、その視野角内に存在する物体などの現状の情報を取得するようにしてある。この現状の情報は、所定のネットワーク網３００を介して、リアルタイム情報管理システム４００に、撮影位置のデータと視野角のデータなどを送って得るようにしてある。現状情報の例については後述する。リアルタイム情報管理システム４００は、１つであるとは限らず、例えば情報の種類ごとにことなる管理システムを使用してもよい。例えば、天気情報を管理するシステム、飛行物体を管理するシステム、天体現象を管理するシステム、詳細情報が得られるホームページアドレスを管理（検索）するシステムなどの、様々なシステムが想定される。」 
（甲１−２）「【００１５】
　図２は、端末装置１００が備えるカメラ１０４が撮影する画角の検出例を示した図である。本例の
端末装置１００は、
方位センサ１０１と傾斜センサ１０３とを備えているために、カメラ１０４が撮影する画角が向いている方位角を検出できる構成としてある。即ち、
カメラ１０４が撮影する中心の光軸１１３の方位角ω及び仰角ζを、これらのセンサ１０１，１０３の出力から検出する。そして、カメラ１０４に取り付けられた撮影用レンズの画角から、等仰角線１１１及び等方位角線１１２を検出して、仮想撮影面１１０を得る。ここで、端末装置１００には、測位部１０２が備えられているので、現在位置が判るので、その現在位置での仮想撮影面１１０を特定することができる。
【００１６】
　そして、仮想撮影面１１０を特定することで、ホストコンピュータ装置２００の三次元空間データベース２０３から送られたデータに基づいて、仮想撮影面１１０に存在する代表物のデータを端末装置１００内で得るとともに、時間の経過で変化する物についてのデータをホストコンピュータ装置２００から得るようにしてある。」
（甲１−３）「【００１７】
　図３は、端末装置１００が備えるカメラ１０４が撮影を行って、その撮影に関する情報を取得する処理例を示したフローチャートである。図３に従って説明すると、まず、端末装置１００の
カメラ１０４で、案内画像付の撮影を行うモード
が設定されると、制御部１０６は、測位部１０２で現在位置の測位を行う（ステップＳ１１）。測位で現在位置情報が取得されると、その現在位置の情報を、ホストコンピュータ装置２００に送信する（ステップＳ１２）。ホストコンピュータ装置２００側で位置情報を受信すると（ステップＳ３１）、周辺の三次元空間情報から代表物の名称と、その方位角及び仰角のデータを、データベースから判断し（ステップＳ３２）、その判断した代表物の名称と方位角、仰角の情報を、端末装置１００に送信する（ステップＳ３３）。
【００１８】
　
端末装置１００でこの情報を受信すると（ステップＳ１３）、その受信した代表物の名称と方位角、仰角の情報をメモリ１０７に格納させる（ステップＳ１４）。その後、静止画などの撮影を行うユーザ操作があるまで待機し、該当する操作があることを検出すると（ステップＳ１５）、その撮影時のセンサ出力から、端末装置１００のカメラ１０４の位置、姿勢、方位角、画角を判断する（ステップＳ１６）。そして、ステップＳ１４で格納させた情報から、画角の方位角及び仰角の範囲内にある代表物の情報を抽出する（ステップＳ１７）。
【００１９】
　
その後、現状情報が更新する必要があるか否か判断し（ステップＳ１８）、更新する必要がある場合（例えば前回の同じ位置での撮影からある程度時間が経過している場合）、現状情報取得要求信号をホストコンピュータ装置２００に送信する（ステップＳ１９）。
【００２０】
　
この要求をホストコンピュータ装置２００で受信すると（ステップＳ３４）、現状情報の検索処理を行う（ステップＳ３５）。
検索された現状情報は、端末装置１０に送信される。
【００２１】
　
端末装置１００では、現状情報を受信すると（ステップＳ２１）、計時変化のある現状情報を含んだ代表物を文字や図形などで案内する情報を、撮影画像に重畳させ、その情報が重畳された画像を表示部１０８に表示させる（ステップＳ２０）。
【００２２】
　ステップＳ２０の処理が終了すると、ステップＳ１５での次の撮影が行われるまで待機する。」 
（甲１−４）「【００２４】
　これらの情報を用いて、本例においては撮影画像を表示する際に、案内表示を行うようにしたものである。図５は、案内表示を行う画像の例である。この例では、画像中の代表となる被写体について、名称などと現状を表示させるようにしてある。具体的には、山について、その名称と標高を表示させてあり、また、山の高さの等高線を、画像中に入れてある。図５の例では、標高が５００ｍの位置に、ラインを入れるようにしてある。そして、
現状情報として、山頂での最新の天気、気温、風速など
（甲１−５）図１には、以下の図面が示されている。
（甲１−６）図２には、以下の図面が示されている。
（甲１−７）図３には、以下の図面が示されている。
（甲１−８）図５には、以下の図面が示されている。
（２）甲１に記載された発明 
　甲１は、（甲１−５）の図１から、携帯端末１００の通信部１０９は、ホストコンピュータ２００に位置情報を送信し、ホストコンピュータ２００から空間情報を受信していることが読み取れる。また、（甲１−４）には、「画像中の代表となる被写体について、名称などと現状を表示させ」る例として、「現状情報として、山頂での最新の天気、気温、風速など」が挙げられていることから、「現状情報として、代表物での最新の天気、気温、風速など」があることが理解できる。そうすると、（甲１−１）ないし（甲１−８）の記載から、甲１には、次の発明（以下「甲１発明」という。）が記載されているものと認められる。
　「通信部１０９を備えて無線通信を行うようにし、通信部１０９は、ホストコンピュータ２００に位置情報を送信し、ホストコンピュータ２００から空間情報を受信しており、液晶表示パネルなどで構成される表示部１０８で通信に関する表示などを行うようにしてある、携帯電話端末装置１００であって、
　静止画及び動画を撮影する手段として、カメラ１０４が内蔵され、携帯電話端末装置１００の現状を検出する手段として、方位センサ１０１と測位部１０２と傾斜センサ１０３とを内蔵させてあり、
　方位センサ１０１は、カメラ１０４が撮影する方位を検出するセンサであり、測位部１０２は、端末装置１００の絶対的な位置を検出するものであり、傾斜センサ１０３は、端末装置１００の傾斜を検出するセンサであり、
　端末装置１００は、方位センサ１０１と傾斜センサ１０３とを備えているために、カメラ１０４が撮影する画角が向いている方位角を検出できる構成としてあり、即ち、カメラ１０４が撮影する中心の光軸１１３の方位角ω及び仰角ζを、これらのセンサ１０１，１０３の出力から検出し、そして、カメラ１０４に取り付けられた撮影用レンズの画角から、等仰角線１１１及び等方位角線１１２を検出して、仮想撮影面１１０を得、ここで、端末装置１００には、測位部１０２が備えられているので、現在位置が判るので、その現在位置での仮想撮影面１１０を特定することができ、
　カメラ１０４で、案内画像付の撮影を行うモードが設定されると、制御部１０６は、測位部１０２で現在位置の測位を行い（ステップＳ１１）、測位で現在位置情報が取得されると、その現在位置の情報を、ホストコンピュータ装置２００に送信し（ステップＳ１２）、ホストコンピュータ装置２００側で位置情報を受信すると（ステップＳ３１）、周辺の三次元空間情報から代表物の名称と、その方位角及び仰角のデータを、データベースから判断し（ステップＳ３２）、その判断した代表物の名称と方位角、仰角の情報を、端末装置１００に送信し（ステップＳ３３）、端末装置１００でこの情報を受信すると（ステップＳ１３）、その受信した代表物の名称と方位角、仰角の情報をメモリ１０７に格納させ（ステップＳ１４）、その後、静止画などの撮影を行うユーザ操作があるまで待機し、該当する操作があることを検出すると（ステップＳ１５）、その撮影時のセンサ出力から、端末装置１００のカメラ１０４の位置、姿勢、方位角、画角を判断し（ステップＳ１６）、そして、ステップＳ１４で格納させた情報から、画角の方位角及び仰角の範囲内にある代表物の情報を抽出し（ステップＳ１７）、その後、現状情報が更新する必要があるか否か判断し（ステップＳ１８）、更新する必要がある場合（例えば前回の同じ位置での撮影からある程度時間が経過している場合）、現状情報取得要求信号をホストコンピュータ装置２００に送信し（ステップＳ１９）、この要求をホストコンピュータ装置２００で受信すると（ステップＳ３４）、現状情報の検索処理を行い（ステップＳ３５）、検索された現状情報は、端末装置１０に送信され、端末装置１００では、現状情報を受信すると（ステップＳ２１）、計時変化のある現状情報を含んだ代表物を文字や図形などで案内する情報を、撮影画像に重畳させ、その情報が重畳された画像を表示部１０８に表示させ（ステップＳ２０）、
　現状情報として、代表物での最新の天気、気温、風速などがある、
　携帯電話端末装置１００。」
２　甲２の記載事項 
　甲２には、「天気予報映像化装置」に関する文献であって、その【００１５】ないし【００４１】の記載から、
　「天気予報情報を特定するための地域情報および時刻情報を含む条件情報を入力させる条件情報入力手段１１０、入力された条件情報に基づいて気象事業者提供サーバ２０からネットワーク１０を介して天気予報情報を取得する天気予報情報取得手段１２０、天気予報情報に基づいて気象映像の情報を生成する気象映像情報生成手段１３０、カメラ３０によって撮像され送信された地域映像の情報を受信する地域映像情報受信手段１４０、地域映像に基づいて天気予報情報に含まれる予報時刻に応じた時刻地域映像の情報を生成する時刻地域映像生成手段１５０、時刻地域映像に含まれる空の部分からなる空映像の領域を抽出する空映像抽出手段１６０、空映像の領域内に天気予報情報に基づいて空映像を擬似した擬似空映像を生成する擬似空映像生成手段１７０、擬似空映像と時刻地域映像とを映像合成して地域合成映像を生成する地域合成映像生成手段１８０、及び気象映像と地域映像とを映像合成して気象合成映像を生成する気象映像合成手段１９０を含むように構成されること」が記載されているものと認められる。  
３　甲３の記載事項 
　甲３には、「地域別情報表示装置」に関する文献であって、その【請求項２】、【請求項４】、【００２３】ないし【００２６】、図４の記載から、
　「現在から将来に向かって進行予定の経路に設定した日時と地域で定義される複数の経過または目標ポイントを設定し、
　該ポイントの地域別情報をデジタルデータ放送から受信処理装置で取得し、
　該取得した地域別データを前記経路と共に時系列にディスプレイ上に外部表示してなる地域別情報表示装置であって、
　ディスプレイに、進行予定の経路を画面表示する経路画面表示部と、
  該経路を、複数のポイント毎に区画する区画表示線と、
  複数の区画表示線に対応して、それぞれの通過日時に対応する複数の地域別情報を同時に表示する地域別情報表示部とを有し、
　地域別情報が、天気予報からなり、
　地域別情報を、写真やＣＧを用いてジオラマ的に表現して、ユーザーが直感的に見やすく表現することができるようになっており、時系列に並べて三次元的に表現すること」が記載されているものと認められる。 
４　甲４の記載事項 
　甲４には、「画像処理装置」に関する文献であって、その【０００１】、【００２６】ないし【００２８】、【００３３】、【００４５】、【００４６】の記載から、
　「画像処理装置１００の位置を示す位置情報を取得し、位置情報の取得時の日時である日時情報を取得し、気象（晴れ、くもりなど）の気象情報を取得して、照明環境情報を計算し、計算された照明環境情報に基づいて、オブジェクト記憶部１０８から必要なオブジェクトを取り出し、照明環境情報に基づいたオブジェクトを生成し、一方、撮影した撮影データを取得し、取得された撮影データと、生成されたオブジェクトとを合成して、オブジェクトが合成された撮影データを表示すること」が記載されているものと認められる。 
５　甲５の記載事項 
　甲５には、「降雨量予測装置」に関する文献であって、その【００１４】、【００１７】の記載から、
　「１ｋｍ間隔の観測距離で観測される降雨強度データによる降雨量分布を表示すること」が記載されているものと認められる。
６　甲６の記載事項 
　甲６には、「地図表示装置」に関する文献であって、その【０００２】、【００２９】の記載から、
　「地図２０に雨量分布２３を重ねて表示し、詳細地図５０を拡大した詳細地図７０には、雨量分布２３と、風向き及び風力２８が重ねて表示されること」が記載されているものと認められる。
７　甲７の記載事項 
　甲７には、「情報提供サービスシステム」に関する文献であって、その【０１２８】ないし【０１３０】、【０１３６】の記載から、
　「立体的に表示される建物（オブジェクト）に対してその施設情報を情報バブルとして合成表示するシステムにおいて、ＧＩＦアニメーション等の動きのある表示も可能であり、また、情報バブルを、企業を特定できるロゴや商標とすることも可能であること」が記載されているものと認められる。
第５　当審の判断
１　本件発明１について 
ア　対比
　本件発明１と甲１発明とを対比する。 
  
（ア）甲１発明の「表示部１０８」は、「液晶表示パネルなどで構成される」から、本件発明１の「表示画面を有する表示部」に相当する。
（イ）甲１発明の「通信部１０９」は、「ホストコンピュータ２００から空間情報を受信して」いるから、本件発明１の「外部からの情報を受信する通信部」に相当する。
（ウ）甲１発明の「カメラ１０４」は、「カメラ１０４に取り付けられた撮影用レンズの画角」範囲の「静止画及び動画を撮影する」ことから、本件発明１の「所定範囲の画像を撮影する撮像部」に相当する。
（エ）甲１発明の「測位部１０２」は、「現在位置の測位を行」うことから、本件発明１の「現在位置を認識する測位部」に相当する。
（オ）甲１発明の「方位センサ１０１は、カメラ１０４が撮影する方位を検出する」ものであり、「傾斜センサ１０３は、端末装置１００の傾斜を検出する」ものであることから、甲１発明の「方位センサ１０１と傾斜センサ１０３」は、両センサを併せると、３次元方位を検出するものといえるので、本件発明１の「方角及び当該装置の水平状態からの傾きを検知する３次元方位検知部」に相当する。
（カ）甲１発明の、「ホストコンピュータ装置２００」から受信した「代表物での最新の天気、気温、風速など」の「現状情報を含んだ代表物を文字や図形などで案内する情報を、撮影画像に重畳させ、その情報が重畳された画像を表示部１０８に表示させ」ることは、代表物での最新の気象情報を、文字や図形などに加工処理して表示させることを含んでいるから、本件発明１の「前記通信部により外部から得られた気象情報を加工処理して前記表示部の画面上に表示する」ことを含む。
（キ）甲１発明の「携帯電話端末装置１００」は、上記（カ）を踏まえると、気象情報提供装置といえることから、本件発明１の「気象情報提供装置」に相当する。
（ク）甲１発明は、「方位センサ１０１と傾斜センサ１０３とを備えているために、カメラ１０４が撮影する画角が向いている方位角を検出できる構成としてあり、即ち、カメラ１０４が撮影する中心の光軸１１３の方位角ω及び仰角ζを、これらのセンサ１０１，１０３の出力から検出し、そして、カメラ１０４に取り付けられた撮影用レンズの画角から、等仰角線１１１及び等方位角線１１２を検出して、仮想撮影面１１０を得、ここで、端末装置１００には、測位部１０２が備えられているので、現在位置が判るので、その現在位置での仮想撮影面１１０を特定することができ」ることから、「測位部１０２」及び「方位センサ１０１と傾斜センサ１０３」の出力から、「現在位置での」「カメラ１０４が撮影する中心の光軸１１３の方位角ω及び仰角ζを」「検出し」ていることが理解できる。よって、甲１発明は、本件発明１の「a)前記測位部及び前記３次元方位検知部により得られた情報に基づいて、前記撮像部による撮影の光軸の方向を算出する光軸方向算出部」を備えていると認められる。
（ケ）甲１発明の「代表物での最新の天気、気温、風速など」の「現状情報を含んだ代表物を文字や図形などで案内する情報」と、本件発明１の「単位区域毎の雲の状態及び降雨の状態を模擬的に示す模擬画像を３次元空間に射影した仮想画像」とは、「気象情報」である点で共通する。よって、甲１発明の「ステップＳ１４で格納させた情報から、画角の方位角及び仰角の範囲内にある代表物の情報を抽出し（ステップＳ１７）」、「代表物での最新の天気、気温、風速など」の「現状情報を受信すると（ステップＳ２１）、計時変化のある現状情報を含んだ代表物を文字や図形などで案内する情報を、撮影画像に重畳させ、その情報が重畳された画像を表示部１０８に表示させ（ステップＳ２０）」ることと、本件発明１の「c)前記仮想画像作成部により作成された前記撮像部による撮影範囲内の前記仮想画像を、前記撮像部により得られている実写画像と合成して、前記表示部の画面上に表示する画像合成部」とは、「c)前記撮像部による撮影範囲内の気象情報を、前記撮像部により得られている実写画像と合成して、前記表示部の画面上に表示する画像合成部」である点で共通する。
（コ）上記（ア）ないし（ケ）を踏まえると、本件発明１と甲１発明とは、次の点において一致し、次の相違点１及び２において相違する。
（一致点）
　「表示画面を有する表示部と、外部からの情報を受信する通信部と、所定範囲の画像を撮影する撮像部と、現在位置を認識する測位部と、方角及び当該装置の水平状態からの傾きを検知する３次元方位検知部と、を具備し、前記通信部により外部から得られた気象情報を加工処理して前記表示部の画面上に表示する気象情報提供装置において、
　a)前記測位部及び前記３次元方位検知部により得られた情報に基づいて、前記撮像部による撮影の光軸の方向を算出する光軸方向算出部と、
　c)前記撮像部による撮影範囲内の気象情報を、前記撮像部により得られている実写画像と合成して、前記表示部の画面上に表示する画像合成部と、
　を備える、気象情報提供装置。」 
（相違点１）
　本件発明１は、「b)前記通信部により得られた目的とする気象情報である単位区域毎の降水量を示す降水量分布データの地域的分布情報に基づいて、少なくとも、前記光軸方向算出部により算出された光軸方向の情報から求まる前記撮像部による撮影範囲に対応した単位区域毎の降水量にそれぞれ対応した雲の状態及び降雨の状態を模擬的に示す模擬画像を３次元空間に射影した仮想画像を作成する仮想画像作成部」を備えるのに対し、甲１発明は、このような仮想画像作成部を備えていない点。
（相違点２） 
　画像合成部が実写画像に合成する気象情報が、本件発明１では、「前記仮想画像作成部により作成された前記撮像部による撮影範囲内の前記仮想画像」であるのに対し、甲１発明では、「代表物での最新の天気、気温、風速など」の「現状情報を含んだ代表物を文字や図形などで案内する情報」である点。
イ　判断
　上記相違点１について検討する。
　甲２ないし甲７（上記「第４」「２」〜「７」を参照。）のいずれの文献にも、上記相違点１に係る本件発明１の構成、とりわけ、「単位区域毎の降水量にそれぞれ対応した雲の状態及び降雨の状態を模擬的に示す模擬画像を３次元空間に射影した仮想画像を作成する」ことについての記載も示唆もない。
　してみると、上記相違点１に係る本件発明１の構成は、甲１発明及び甲２ないし甲７に記載された事項に基づいて、当業者が容易に想到し得ることとはいえない。
ウ　申立人の主張について
　申立人は、上記相違点１（異議申立書での「構成要件１Ｃ」に相当）について、「構成要件１Ｃの構成は、甲第２号証、甲第３号証及び甲第４号証に記載される技術の組合せに相当し、このような組合せを想起することに技術的な困難性が無い」（異議申立書第２１頁第１２〜１４行）と主張している。
　まず、甲２〜４に記載された事項について、
　甲２には、上記「第４」「２」に記載したとおりであり、構成要件１Ｃのうちの「雲の状態及び降雨の状態を模擬的に示す模擬画像」が記載されており、
　甲３には、上記「第４」「３」に記載したとおりであり、構成要件１Ｃのうちの「区画毎の」「雲の状態及び降雨の状態を模擬的に示す模擬画像を３次元空間に射影した仮想画像」が記載されており（ただし、甲３で、「区域毎」の「区域」に相当するものは、進行予定経路中の地域であり、構成要件１Ｃの「前記光軸方向の情報から求まる前記撮影部による撮影範囲に対応した単位区域」ではない。）、
　甲４には、上記「第４」「４」に記載したとおりであり、構成要件１Ｃのうちの「気象情報」「に基づいて、」「模擬画像を」「作成する」ことが記載されている。
　しかし、甲２に記載された事項は、所定の場所に固定されたカメラを使用するものであり、甲３に記載された事項は、カーナビゲーションの画面（実際に撮影された画面ではない）に関するものであり、甲４は、人が携帯するカメラを使用するものであって、いずれも拡張現実（ＡＲ）に関わるものであるとしても、それだけでこれらの事項を組み合わせる動機付けになるとは認めがたい。
　さらに、これらの事項を組み合わせたとしても、「
単位区域毎の
単位区域毎の
　したがって、申立人の上記主張は採用することができない。
エ　小括
　したがって、上記相違点２について検討するまでもなく、本件発明１は、甲１発明及び甲２ないし甲７に記載された事項に基づいて当業者が容易に発明をすることができたものとはいえない。
２　本件発明２について
　本件発明２は、本件発明１を更に減縮したものであるから、上記本件発明１についての判断と同様の理由により、本件発明２は、甲１発明及び甲２ないし甲７に記載された事項に基づいて当業者が容易に発明をすることができたものとはいえない。
３　本件発明３について
ア　対比
　本件発明３と甲１発明とを対比する。 
  
（ア）甲１発明の「表示部１０８」は、「液晶表示パネルなどで構成される」から、本件発明３の「表示画面を有する表示部」に相当する。
（イ）甲１発明の「通信部１０９」は、「ホストコンピュータ２００から空間情報を受信して」いるから、本件発明３の「外部からの情報を受信する通信部」に相当する。
（ウ）甲１発明の「カメラ１０４」は、「カメラ１０４に取り付けられた撮影用レンズの画角」範囲の「静止画及び動画を撮影する」ことから、本件発明３の「所定範囲の画像を撮影する撮像部」に相当する。
（エ）甲１発明の「測位部１０２」は、「現在位置の測位を行」うことから、本件発明３の「現在位置を認識する測位部」に相当する。
（オ）甲１発明の「方位センサ１０１は、カメラ１０４が撮影する方位を検出する」ものであり、「傾斜センサ１０３は、端末装置１００の傾斜を検出する」ものであることから、甲１発明の「方位センサ１０１と傾斜センサ１０３」は、両センサを併せると、３次元方位を検出するものといえるので、本件発明３の「方角及び当該装置の水平状態からの傾きを検知する３次元方位検知部」に相当する。
（カ）甲１発明の、「ホストコンピュータ装置２００」から受信した「代表物での最新の天気、気温、風速など」の「現状情報を含んだ代表物を文字や図形などで案内する情報を、撮影画像に重畳させ、その情報が重畳された画像を表示部１０８に表示させ」ることは、代表物での最新の気象情報を、文字や図形などに加工処理して表示させることを含んでいるから、本件発明３の「前記通信部により外部から得られた気象情報を加工処理して前記表示部の画面上に表示する」ことを含む。
（キ）甲１発明の「携帯電話端末装置１００」は、上記（カ）を踏まえると、気象情報提供装置といえることから、甲１発明の「携帯電話端末装置１００」と、本件発明３の「平面視長方形状である携帯型の気象情報提供装置」とは、「携帯型の気象情報提供装置」である点で共通する。
（ク）甲１発明は、「方位センサ１０１と傾斜センサ１０３とを備えているために、カメラ１０４が撮影する画角が向いている方位角を検出できる構成としてあり、即ち、カメラ１０４が撮影する中心の光軸１１３の方位角ω及び仰角ζを、これらのセンサ１０１，１０３の出力から検出し、そして、カメラ１０４に取り付けられた撮影用レンズの画角から、等仰角線１１１及び等方位角線１１２を検出して、仮想撮影面１１０を得、ここで、端末装置１００には、測位部１０２が備えられているので、現在位置が判るので、その現在位置での仮想撮影面１１０を特定することができ」ることから、「測位部１０２」及び「方位センサ１０１と傾斜センサ１０３」の出力から、「現在位置での」「カメラ１０４が撮影する中心の光軸１１３の方位角ω及び仰角ζを」「検出し」ていることが理解できる。よって、甲１発明は、本件発明３の「a)前記測位部及び前記３次元方位検知部により得られた情報に基づいて、前記撮像部による撮影の光軸の方向を算出する光軸方向算出部」を備えていると認められる。
（ケ）甲１発明の「代表物での最新の天気、気温、風速など」の「現状情報を含んだ代表物を文字や図形などで案内する情報」と、本件発明３の「単位区域毎の気象関連指標値を反映した模擬画像を３次元空間に射影した仮想画像」とは、「気象情報」である点で共通する。よって、甲１発明の「ステップＳ１４で格納させた情報から、画角の方位角及び仰角の範囲内にある代表物の情報を抽出し（ステップＳ１７）」、「代表物での最新の天気、気温、風速など」の「現状情報を受信すると（ステップＳ２１）、計時変化のある現状情報を含んだ代表物を文字や図形などで案内する情報を、撮影画像に重畳させ、その情報が重畳された画像を表示部１０８に表示させ（ステップＳ２０）」ることと、本件発明３の「c)前記仮想画像作成部により作成された前記撮像部による撮影範囲内の前記仮想画像を、前記撮像部により得られている実写画像と合成して、前記表示部の画面上に表示する画像合成部」とは、「c)前記撮像部による撮影範囲内の気象情報を、前記撮像部により得られている実写画像と合成して、前記表示部の画面上に表示する画像合成部」である点で共通する。
（コ）上記（ア）ないし（ケ）を踏まえると、本件発明３と甲１発明とは、次の点において一致し、上記相違点２の他に、次の相違点３ないし５において相違する。 
（一致点）
　「表示画面を有する表示部と、外部からの情報を受信する通信部と、所定範囲の画像を撮影する撮像部と、現在位置を認識する測位部と、方角及び当該装置の水平状態からの傾きを検知する３次元方位検知部と、を具備し、前記通信部により外部から得られた気象情報を加工処理して前記表示部の画面上に表示する、携帯型の気象情報提供装置において、
　a)前記測位部及び前記３次元方位検知部により得られた情報に基づいて、前記撮像部による撮影の光軸の方向を算出する光軸方向算出部と、
　c)前記撮像部による撮影範囲内の気象情報を、前記撮像部により得られている実写画像と合成して、前記表示部の画面上に表示する画像合成部と、
　を備える、気象情報提供装置。」 
（相違点３）
　携帯型の気象情報提供装置が、本件発明３では、「平面視長方形状」であるのに対し、甲１発明では、この点について特定されていない点。
（相違点４）
　本件発明３は、「b)前記通信部により得られた目的とする気象情報である気象関連指標値の地域的分布情報に基づいて、少なくとも、前記光軸方向算出部により算出された光軸方向の情報から求まる前記撮像部による撮影範囲に対応した単位区域毎の気象関連指標値を反映した模擬画像を３次元空間に射影した仮想画像を作成する仮想画像作成部」を備えるのに対し、甲１発明は、このような仮想画像作成部を備えていない点。
（相違点５）
　本件発明３は、「当該装置が横向きに保持された状態では、前記画像合成部による実写画像と仮想画像と合成した画像を前記表示部の画面上に表示し、当該装置が縦向きに保持された状態では、前記通信部により得られた目的とする気象情報である気象関連指標値の地域的分布情報に基づいて作成されるメッシュ状の気象分布を示すヒートマップを平面的な地図上に重ねた２次元画像を前記表示部の画面上に表示するように表示を切り替える」のに対し、甲１発明は、このような切り換え構成を備えていない点。
イ　判断
　事案に鑑み、上記相違点４について検討する。
　甲２ないし甲７（上記「第４」「２」〜「７」を参照。）のいずれの文献にも、上記相違点４に係る本件発明３の構成、とりわけ、「単位区域毎の気象関連指標値を反映した模擬画像を３次元空間に射影した仮想画像を作成する」ことについての記載も示唆もない。
　してみると、上記相違点４に係る本件発明３の構成は、甲１発明及び甲２ないし甲７に記載された事項に基づいて、当業者が容易に想到し得ることとはいえない。
ウ　小括
　したがって、上記相違点２、３及び５について検討するまでもなく、本件発明３は、甲１発明及び甲２ないし甲７に記載された事項に基づいて当業者が容易に発明をすることができたものとはいえない。
４　本件発明４について
ア　対比
　本件発明４と甲１発明とを対比する。
  
（ア）甲１発明の「表示部１０８」は、「液晶表示パネルなどで構成される」から、本件発明４の「表示画面を有する表示部」に相当する。
（イ）甲１発明の「通信部１０９」は、「ホストコンピュータ２００から空間情報を受信して」いるから、本件発明４の「外部からの情報を受信する通信部」に相当する。
（ウ）甲１発明の「カメラ１０４」は、「カメラ１０４に取り付けられた撮影用レンズの画角」範囲の「静止画及び動画を撮影する」ことから、本件発明４の「所定範囲の画像を撮影する撮像部」に相当する。
（エ）甲１発明の「測位部１０２」は、「現在位置の測位を行」うことから、本件発明４の「現在位置を認識する測位部」に相当する。
（オ）甲１発明の「方位センサ１０１は、カメラ１０４が撮影する方位を検出する」ものであり、「傾斜センサ１０３は、端末装置１００の傾斜を検出する」ものであることから、甲１発明の「方位センサ１０１と傾斜センサ１０３」は、両センサを併せると、３次元方位を検出するものといえるので、本件発明４の「方角及び当該装置の水平状態からの傾きを検知する３次元方位検知部」に相当する。
（カ）甲１発明の、「ホストコンピュータ装置２００」から受信した「代表物での最新の天気、気温、風速など」の「現状情報を含んだ代表物を文字や図形などで案内する情報を、撮影画像に重畳させ、その情報が重畳された画像を表示部１０８に表示させ」ることは、代表物での最新の気象情報を、文字や図形などに加工処理して表示させることを含んでいるから、本件発明４の「前記通信部により外部から得られた気象情報を加工処理して前記表示部の画面上に表示する」ことを含む。
（キ）甲１発明の「携帯電話端末装置１００」は、上記（カ）を踏まえると、気象情報提供装置といえることから、本件発明４の「気象情報提供装置」に相当する。
（ク）甲１発明は、「方位センサ１０１と傾斜センサ１０３とを備えているために、カメラ１０４が撮影する画角が向いている方位角を検出できる構成としてあり、即ち、カメラ１０４が撮影する中心の光軸１１３の方位角ω及び仰角ζを、これらのセンサ１０１，１０３の出力から検出し、そして、カメラ１０４に取り付けられた撮影用レンズの画角から、等仰角線１１１及び等方位角線１１２を検出して、仮想撮影面１１０を得、ここで、端末装置１００には、測位部１０２が備えられているので、現在位置が判るので、その現在位置での仮想撮影面１１０を特定することができ」ることから、「測位部１０２」及び「方位センサ１０１と傾斜センサ１０３」の出力から、「現在位置での」「カメラ１０４が撮影する中心の光軸１１３の方位角ω及び仰角ζを」「検出し」ていることが理解できる。よって、甲１発明は、本件発明４の「a)前記測位部及び前記３次元方位検知部により得られた情報に基づいて、前記撮像部による撮影の光軸の方向を算出する光軸方向算出部」を備えていると認められる。
（ケ）甲１発明の「代表物での最新の天気、気温、風速など」の「現状情報を含んだ代表物を文字や図形などで案内する情報」と、本件発明４の「単位区域毎の気象関連指標値を反映した模擬画像を３次元空間に射影した仮想画像」とは、「気象情報」である点で共通する。よって、甲１発明の「ステップＳ１４で格納させた情報から、画角の方位角及び仰角の範囲内にある代表物の情報を抽出し（ステップＳ１７）」、「代表物での最新の天気、気温、風速など」の「現状情報を受信すると（ステップＳ２１）、計時変化のある現状情報を含んだ代表物を文字や図形などで案内する情報を、撮影画像に重畳させ、その情報が重畳された画像を表示部１０８に表示させ（ステップＳ２０）」ることと、本件発明４の「c)前記仮想画像作成部により作成された現在位置の周囲全ての単位区域毎の仮想画像の中で前記撮像部による撮影範囲内の仮想画像を抽出し、該仮想画像と前記撮像部により得られている実写画像と合成して、前記表示部の画面上に表示する画像合成部」とは、「c)前記撮像部による撮影範囲内の気象情報を、前記撮像部により得られている実写画像と合成して、前記表示部の画面上に表示する画像合成部」である点で共通する。
（コ）上記（ア）ないし（ケ）を踏まえると、本件発明４と甲１発明とは、次の点において一致し、次の相違点６及び７において相違する。
（一致点）
　「表示画面を有する表示部と、外部からの情報を受信する通信部と、所定範囲の画像を撮影する撮像部と、現在位置を認識する測位部と、方角及び当該装置の水平状態からの傾きを検知する３次元方位検知部と、を具備し、前記通信部により外部から得られた気象情報を加工処理して前記表示部の画面上に表示する気象情報提供装置において、
　a)前記測位部及び前記３次元方位検知部により得られた情報に基づいて、前記撮像部による撮影の光軸の方向を算出する光軸方向算出部と、
　c)前記撮像部による撮影範囲内の気象情報を、前記撮像部により得られている実写画像と合成して、前記表示部の画面上に表示する画像合成部と、
　を備える、気象情報提供装置。」 
（相違点６）
　本件発明４は、「b)前記通信部により得られた目的とする気象情報である気象関連指標値の地域的分布情報に基づいて、前記測位部で認識された現在位置の周囲全ての単位区域毎の気象関連指標値を反映した模擬画像を３次元空間に射影した仮想画像を作成する仮想画像作成部」を備えるのに対し、甲１発明は、このような仮想画像作成部を備えていない点。
（相違点７）
　画像合成部が実写画像に合成する気象情報が、本件発明４では、「前記仮想画像作成部により作成された現在位置の周囲全ての単位区域毎の仮想画像の中で前記撮像部による撮影範囲内の」「抽出し」た「仮想画像」であるのに対し、甲１発明では、「代表物での最新の天気、気温、風速など」の「現状情報を含んだ代表物を文字や図形などで案内する情報」である点。 
イ　判断
　上記相違点６について検討する。
　甲２ないし甲７（上記「第４」「２」〜「７」を参照。）のいずれの文献にも、上記相違点６に係る本件発明４の構成、とりわけ、「単位区域毎の気象関連指標値を反映した模擬画像を３次元空間に射影した仮想画像を作成する」ことについての記載も示唆もない。
　してみると、上記相違点６に係る本件発明４の構成は、甲１発明及び甲２ないし甲７に記載された事項に基づいて、当業者が容易に想到し得ることとはいえない。
ウ　小括
　したがって、上記相違点７について検討するまでもなく、本件発明４は、甲１発明及び甲２ないし甲７に記載された事項に基づいて当業者が容易に発明をすることができたものとはいえない。
５　本件発明５について
ア　対比
　本件発明５と甲１発明とを対比する。 
  
（ア）甲１発明の「表示部１０８」は、「液晶表示パネルなどで構成される」から、本件発明５の「表示画面を有する表示部」に相当する。
（イ）甲１発明の「通信部１０９」は、「ホストコンピュータ２００から空間情報を受信して」いるから、本件発明５の「外部からの情報を受信する通信部」に相当する。
（ウ）甲１発明の「カメラ１０４」は、「カメラ１０４に取り付けられた撮影用レンズの画角」範囲の「静止画及び動画を撮影する」ことから、本件発明５の「所定範囲の画像を撮影する撮像部」に相当する。
（エ）甲１発明の「測位部１０２」は、「現在位置の測位を行」うことから、本件発明５の「現在位置を認識する測位部」に相当する。
（オ）甲１発明の「方位センサ１０１は、カメラ１０４が撮影する方位を検出する」ものであり、「傾斜センサ１０３は、端末装置１００の傾斜を検出する」ものであることから、甲１発明の「方位センサ１０１と傾斜センサ１０３」は、両センサを併せると、３次元方位を検出するものといえるので、本件発明５の「方角及び当該装置の水平状態からの傾きを検知する３次元方位検知部」に相当する。
（カ）甲１発明の、「ホストコンピュータ装置２００」から受信した「代表物での最新の天気、気温、風速など」の「現状情報を含んだ代表物を文字や図形などで案内する情報を、撮影画像に重畳させ、その情報が重畳された画像を表示部１０８に表示させ」ることは、代表物での最新の気象情報を、文字や図形などに加工処理して表示させることを含んでいるから、本件発明５の「前記通信部により外部から得られた気象情報を加工処理して前記表示部の画面上に表示する」ことを含む。
（キ）甲１発明の「携帯電話端末装置１００」は、上記（カ）を踏まえると、気象情報提供装置といえることから、本件発明１の「気象情報提供装置」に相当する。
（ク）甲１発明は、「方位センサ１０１と傾斜センサ１０３とを備えているために、カメラ１０４が撮影する画角が向いている方位角を検出できる構成としてあり、即ち、カメラ１０４が撮影する中心の光軸１１３の方位角ω及び仰角ζを、これらのセンサ１０１，１０３の出力から検出し、そして、カメラ１０４に取り付けられた撮影用レンズの画角から、等仰角線１１１及び等方位角線１１２を検出して、仮想撮影面１１０を得、ここで、端末装置１００には、測位部１０２が備えられているので、現在位置が判るので、その現在位置での仮想撮影面１１０を特定することができ」ることから、「測位部１０２」及び「方位センサ１０１と傾斜センサ１０３」の出力から、「現在位置での」「カメラ１０４が撮影する中心の光軸１１３の方位角ω及び仰角ζを」「検出し」ていることが理解できる。よって、甲１発明は、本件発明５の「a)前記測位部及び前記３次元方位検知部により得られた情報に基づいて、前記撮像部による撮影の光軸の方向を算出する光軸方向算出部」を備えていると認められる。
（ケ）甲１発明の「代表物での最新の天気、気温、風速など」の「現状情報を含んだ代表物を文字や図形などで案内する情報」と、本件発明５の「単位区域毎の気象関連指標値を反映した模擬画像を３次元空間に射影した仮想画像」とは、「気象情報」である点で共通する。よって、甲１発明の「ステップＳ１４で格納させた情報から、画角の方位角及び仰角の範囲内にある代表物の情報を抽出し（ステップＳ１７）」、「代表物での最新の天気、気温、風速など」の「現状情報を受信すると（ステップＳ２１）、計時変化のある現状情報を含んだ代表物を文字や図形などで案内する情報を、撮影画像に重畳させ、その情報が重畳された画像を表示部１０８に表示させ（ステップＳ２０）」ることと、本件発明５の「c)前記仮想画像作成部により作成された前記撮像部による撮影範囲内の前記仮想画像を、前記撮像部により得られている実写画像と合成して、前記表示部の画面上に表示する画像合成部」とは、「c)前記撮像部による撮影範囲内の気象情報を、前記撮像部により得られている実写画像と合成して、前記表示部の画面上に表示する画像合成部」である点で共通する。
（コ）上記（ア）ないし（ケ）を踏まえると、本件発明５と甲１発明とは、次の点において一致し、上記相違点２及び４の他に、次の相違点８において相違する。 
（一致点）
　「表示画面を有する表示部と、外部からの情報を受信する通信部と、所定範囲の画像を撮影する撮像部と、現在位置を認識する測位部と、方角及び当該装置の水平状態からの傾きを検知する３次元方位検知部と、を具備し、前記通信部により外部から得られた気象情報を加工処理して前記表示部の画面上に表示する気象情報提供装置において、
　a)前記測位部及び前記３次元方位検知部により得られた情報に基づいて、前記撮像部による撮影の光軸の方向を算出する光軸方向算出部と、
　c)前記撮像部による撮影範囲内の気象情報を、前記撮像部により得られている実写画像と合成して、前記表示部の画面上に表示する画像合成部と、
　を備える、気象情報提供装置。」 
（相違点８）
　本件発明５は、「前記仮想画像作成部は、単位区域毎の気象関連指標値を反映した模擬画像を３次元空間に射影する際に、前記撮像部から見て横方向に並ぶ複数の単位区域に対する模擬画像の横幅をそれぞれ所定倍率だけ拡大するとともに、現在位置から見たときに各模擬画像が正面に位置するように該各模擬画像を回転させたうえでそれら模擬画像を繋ぎ合わせる処理を行う」のに対し、甲１発明は、このような処理を行う仮想画像作成部を備えていない点。
イ　判断
　上記相違点４については、上記「３」「イ」で検討したとおりであるから、上記相違点４に係る本件発明５の構成は、甲１発明及び甲２ないし甲７に記載された事項に基づいて、当業者が容易に想到し得ることとはいえない。
ウ　小括
　したがって、上記相違点２及び８について検討するまでもなく、本件発明５は、甲１発明及び甲２ないし甲７に記載された事項に基づいて当業者が容易に発明をすることができたものとはいえない。
６　本件発明６について
　本件発明６は、本件発明３ないし５のいずれか１つを更に減縮したものであるから、上記本件発明３ないし５についての判断と同様の理由により、本件発明６は、甲１発明及び甲２ないし甲７に記載された事項に基づいて当業者が容易に発明をすることができたものとはいえない。
７　本件発明７について
　本件発明７は、本件発明１ないし６のいずれか１つを更に減縮したものであるから、上記本件発明１ないし６についての判断と同様の理由により、本件発明７は、甲１発明及び甲２ないし甲７に記載された事項に基づいて当業者が容易に発明をすることができたものとはいえない。
８　本件発明８ないし１３について
　本件発明８ないし１３は、それぞれ、本件発明１ないし６に対応するプログラムの発明（カテゴリー上の差異がある程度の発明）であるから、上記本件発明１ないし６についての判断と同様の理由により、本件発明８ないし１３は、甲１発明及び甲２ないし甲７に記載された事項に基づいて当業者が容易に発明をすることができたものとはいえない。
９　まとめ
　以上のとおり、本件発明１ないし１３についての特許異議申立人の申立て理由には理由がない。
第６　むすび 
　以上のとおりであるから、特許異議申立ての理由及び証拠によっては、本件請求項１ないし１３に係る特許を取り消すことはできない。
　また、他に本件請求項１ないし１３に係る特許を取り消すべき理由を発見しない。
　よって、結論のとおり決定する。
【異議決定日】
平成３０年６月１５日（２０１８．６．１５）